(57)【要約】【課題】同軸ケーブルをコネクタにより受け側コネクタに接続する場合、中心導体に接続した電気コンタクトを突出させ、受け側コネクタの中心に形成した穴に挿入しているため、電気コンタクトは外力を受けると曲がっていまい受け側コネクタの穴に挿入できなくなる。これを解決した同軸ケーブル用コネクタを提供する。【解決手段】受け側コネクタ９が挿入される連結部１５を形成し、この連結部１５が挿入される円筒体部２０を形成し、この円筒体部２０をコネクタの本体６に回転自在に取り付けると共に、円筒体部２０内に電気コンタクト７を突出させ、連結部１５の端面に電気コンタクト用ガイド部１７を設け、連結部１５と円筒体部２０との間に設けたガイド機構により連結部１５を円筒体部２０に対して中心軸上を移動可能になし、電気コンタクト７は連結部１５が受け側コネクタ９に完全に連結されるまで電気コンタクト用ガイド部１７から突出しないようになし円筒体部２０の前進動作によってはじめて穴１４方向に移動させ不用な外力を受けることを排除する。【選択図】      図１
2004234867.tif 000002
【特許請求の範囲】
【請求項１】
中心導体の外周に絶縁体を介して外部導体が組み込まれた同軸ケーブルを接続するための同軸ケーブル用コネクタにおいて、
前記中心導体が中心軸上に突出して設けられた電気コンタクトに接続されると共に、前記外部導体が接続された状態で前記同軸ケーブルの端に取り付けられた導電材からなる本体と、
導電材からなる円筒と前記中心軸上に受け用中心導体の穴とを有する受け側コネクタが一端側からその中に挿入されて連結される導電材からなる円筒状の連結部と、
一端側からその中に前記連結部が挿入され、他端側で前記本体に前記中心軸を中心として回転自在に取り付けられた導電材からなる円筒体部と、
前記円筒体部に前記中心軸と平行に形成した長溝と、当該長溝に連なってその両端に当該円筒体部の回転方向に沿って形成した短い溝とからなるガイド溝と、
前記連結部の前記円筒体部寄りの外周に前記ガイド溝に係合するように設けられた突起と、
前記円筒体部の一端側から前記中心軸と平行に切り欠かれて当該円筒部が前記連結部の挿入時に撓むように形成された割り溝と、
前記連結部の他端側の前記円筒体部寄りに相当する端面に設けられ、その中で前記電気コンタクトを案内する貫通孔が形成された絶縁材からなる電気コンタクト用ガイドと
からなることを特徴とする同軸ケーブル用コネクタ。
【請求項２】
中心導体の外周に絶縁体を介して外部導体が組み込まれた同軸ケーブルを接続するための同軸ケーブル用コネクタにおいて、
前記中心導体が中心軸上に突出して設けられた電気コンタクトに接続されると共に、前記外部導体が接続された状態で前記同軸ケーブルの端に取り付けられた導電材からなる本体と、
導電材からなる円筒と前記中心軸上に受け用中心導体の穴とを有する受け側コネクタが一端側からその中に挿入されて連結される導電材からなる円筒状の連結部と、
一端側からその中に前記連結部が挿入され、他端側かで前記本体に前記中心軸を中心として回転自在に取り付けられた導電材からなる円筒体部と、
前記円筒体部と前記連結部とが相対的に前記中心軸と平行に変位され、変位された両端で固定されるガイド機構と、
前記連結部の他端側の前記円筒体部寄りに相当する端面に設けられ、その中で前記電気コンタクトを案内する貫通孔が形成された絶縁材からなる電気コンタクト用ガイドと
からなることを特徴とする同軸ケーブル用コネクタ。
【請求項３】
前記ガイド機構は、
前記円筒体部に前記中心軸と平行に形成した長溝と、当該長溝と連なってその両端に当該円筒体部の回転方向に沿って形成された短い溝とからなるガイド溝と、
前記連結部の前記円筒体部寄りの外周に前記ガイド溝に係合するように設けられた突起と
からなることを特徴とする請求項２項記載の同軸ケーブル用コネクタ。
【発明の詳細な説明】
【０００１】
【発明の属する技術分野】
本発明は、同軸ケーブルの端をテレビジョン、ＣＤプレーヤのようなＡ・Ｖ機器、各種測定機器等の電子機器に設けられた受け側コネクタに接続するための同軸ケーブル用コネクタに関する。
【０００２】
【従来の技術】
この種の同軸ケーブル用コネクタは、中心導体の外周に絶縁体を介して外部導体が組み込まれ、端には受け側コネクタに接続するためのコネクタが取り付けられている。このコネクタは、受け側コネクタが導電材からなる円筒と中心軸上に受け用中心導体の穴とが形成されているので、導電材からなり受け側コネクタ外周面と連結する円筒部材が設けられ、この円筒部材の中心軸上に同軸ケーブルの中心導体を突出させると共に、外部導体を円筒部材に接続している。このようにして同軸ケーブルにコネクタを取り付けている（例えば、特許文献１参照）。
【０００３】
しかし、中心導体は可撓性であるため、外力が加わると容易に曲がってしまう。
そのため、中心導体を受け側コネクタの穴に挿入することが不可能になってしまう。
【０００４】
そこで、円筒部材内に突出させる電気コンタクト部分は、剛体の針状のもので形成し外力を受けても容易に変形しないものが多く採用されている（例えば、特許文献２参照）。
【０００５】
しかし、このような構成のものであっても、外形が小さい規格の異なった受け側コネクタに誤って接続しようとして強く押し付けると、電気コンタクトが受け側コネクタの穴以外の部分に強く押し付けられて折曲されてしまう。また、折曲されないまでも電気コンタクトの先端部分が中心軸上からずれてしまう。そのため、正規の受け側コネクタと接続しようとすると正規の穴に一致せず、接続が不可能になってしまう。このような事故は、同軸ケーブル側のコネクタを斜め方向から受け側コネクタに接続しようとする場合も電気コンタクトの先端を穴以外の部分に強く当ててしまうことによって発生する。
【０００６】
また、同軸ケーブル用コネクタとしては、中心導体の外周に外部コンタクト部を設け、更に、その外周に金属製ナット型のカップリングを設けたものが存在する（例えば、特許文献３参照）。
【０００７】
このようなコネクタによれば、確かに中心導体に接続された内部コンタクト部はカップリングの中に配された外部コネクタの中にあるので不用な力が加わるという事故を軽減できる。しかし、内部コンタクトは突出している限り前述した不用な力が加わるということを回避することが不可能である。このような従来のコネクタでは、やはり内部コンタクトの先端に位置ずれを生じてしまい接続不可能という事故を完全になくすことが出来ない。また、このコネクタの適用は、外部コンタクトと受け側に外部コンタクトを受ける円筒状の受け部を必要とするタイプに限定される。
【特許文献１】
実用新案登録第３０７５６６２号公報
【特許文献２】
特開２００２−３１１７５２号公報
【特許文献３】
特開平１１−２６０６３号公報
【０００８】
【発明が解決しようとする課題】
そこで、本発明は、電気コンタクトが不用な力を受けることなく、常に中心軸線上に位置し、確実な接続が容易になされる同軸ケーブル用コネクタを提供することを目的とする。
【０００９】
【課題を解決するための手段】
上記目的を達成するために、本発明は、中心導体の外周に絶縁体を介して外部導体が組み込まれた同軸ケーブルを接続するための同軸ケーブル用コネクタにおいて、前記中心導体が中心軸上に突出して設けられた電気コンタクトに接続されると共に前記外部導体が接続された状態で前記同軸ケーブルの端に取り付けられた導電材からなる本体と、導電材からなる円筒と前記中心軸上に受け用中心導体の穴とを有する受け側コネクタが一端側からその中に挿入されて連結される導電材からなる円筒状の連結部と、一端側からその中に前記連結部が挿入され他端側で前記本体に前記中心軸を中心として回転自在に取り付けられた導電材からなる円筒体部と、前記円筒体部に前記中心軸と平行に形成した長溝と当該長溝に連なってその両端に当該円筒体部の回転方向に沿って形成した短い溝とからなるガイド溝と、前記連結部の前記円筒体部寄りの外周に前記ガイド溝に係合するように設けられた突起と、前記円筒体部の一端側から前記中心軸と平行に切り欠かれて当該円筒部が前記連結部の挿入時に撓むように形成された割り溝と、前記連結部の他端側の前記円筒体部寄りに相当する端面に設けられその中で前記電気コンタクトを案内する貫通孔が形成された絶縁材からなる電気コンタクト用ガイドとで構成した同軸ケーブル用コネクタである。
【００１０】
また、上記目的を達成するために、本発明は、中心導体の外周に絶縁体を介して外部導体が組み込まれた同軸ケーブルを接続するための同軸ケーブル用コネクタにおいて、前記中心導体が中心軸上に突出して設けられた電気コンタクトに接続されると共に前記外部導体が接続された状態で前記同軸ケーブルの端に取り付けられた導電材からなる本体と、導電材からなる円筒と前記中心軸上に受け用中心導体の穴とを有する受け側コネクタが一端側からその中に挿入されて連結される導電材からなる円筒状の連結部と、一端側からその中に前記連結部が挿入され他端側かで前記本体に前記中心軸を中心として回転自在に取り付けられた導電材からなる円筒体部と、前記円筒体部と前記連結部とが相対的に前記中心軸と平行に変位され、変位された両端で固定されるガイド機構と、前記連結部の他端側の前記円筒体部寄りに相当する端面に設けられその中で前記電気コンタクトを案内する貫通孔が形成された絶縁材からなる電気コンタクト用ガイドとで構成した同軸ケーブル用コネクタである。
【００１１】
更に、前記ガイド機構は、前記円筒体部に前記中心軸と平行に形成した長溝と当該長溝と連なってその両端に当該円筒体部の回転方向に沿って形成された短い溝とからなるガイド溝と、前記連結部の前記円筒体部寄りの外周に前記ガイド溝に係合するように設けられた突起とからなる同軸ケーブル用コネクタである。
【００１２】
【発明の実施の形態】
以下、図面を用いて本発明の実施の形態について説明する。
【００１３】
図１は、本発明の第１の実施の形態における同軸ケーブル用コネクタの断面図であり、図２はその斜視図である。１は同軸ケーブルであって、中心導体２の外周に絶縁体３を介して網状の外部導体４が設けられ、更に外周が絶縁被膜５で覆われている。６は導電材からなり円筒状をなした本体であり、外部導体４が接続されると共に、中心軸Ｘ上に中心導線２に接続された細い棒状の電気コンタクト７が配されている。電気コンタクト７はその根本が本体６に絶縁リング８でもって固定され先端が本体６から大きく突出している。９は電子機器に設けられた受け側コネクタであって、全体的に導電材からなる円筒１０とその中心に絶縁体１１を介して中心軸Ｘ上に配した受け用中心導体１２からなる。そして、円筒１０の外周には雄ネジ１３が形成されている。また、受け用中心導体１２は、その中に電気コンタクト７を挿入することができるように細い筒状でもって形成された穴１４を有している。１５は導電材からなる円筒状の連結部であり、その内周面に雌ネジ１６が形成され一端側から受け側コネクタ９が挿入されて螺合するようになっている。１７は絶縁材からなり連結部１５の他端側の開口部分を塞ぐように設けられ、中心に電気コンタクト７が挿入されるための貫通孔１８が形成された電気コンタクト用ガイド部である。１９は連結部１５の他端側の外周面に等間隔で３箇所に設けられた突起である。この突起１９の配置関係は図１の連結部１５を矢印Ａ方向から見た図３によって明らかに示されている。２０は導電材からなりその中に連結部１５が挿入される円筒状の円筒体部であり、一端が本体６に中心軸Ｘ上で回転自在な状態で取り付けられている。この回転自在な取り付けは、本体６の外周面にリング状に形成された溝２１と、この溝２１に係合する円筒体部２０の内周面にリング状に形成された突起２２とからなる。
【００１４】
２３は円筒体部２０に中心軸Ｘと平行に形成された長溝であって、等間隔に３箇所に形成されている。その詳細は、図４の平面的に拡大した説明図によって示されているが、長溝２３の両端には、長溝２３と連なって円筒体部２０の回転方向に沿って互いに反対方向に形成された短い溝２４、２５が設けられている。そして、これら長溝２３、短い溝２４、２５は突起１９が係合する幅を有して全体的にガイド溝２６を形成している。これら突起１９、長溝２３、短い溝２４、２５によって、突起１９が長溝２３と係合しているときは円筒体部２０と連結部１５とが相対的に変位可能であって、突起１９と短い溝２４、２５と係合しているときは固定されるガイド機構（請求項２記載のガイド機構）が構成されている。２７は円筒体部２０の他端から中心軸Ｘと平行にして形成された割り溝であって、円筒体部２０内に連結部１５を挿入する際に突起１９がガイド溝２６に係合するまで円筒部２０が内径を大きくするように撓むためのものである。そして、突起１９は挿入係合を容易にするためにテーパ状になっている。
【００１５】
本体６の後方部分には、割り溝（図示せず）が形成される共に、外周に雄ネジ２８が形成されている。２９は内部がテーパ状となり、そこに雄ネジ２８と螺合する雌ネジ３０が形成された円筒状の締め付け用キャップである。組み上げるためには、外部導体４を露出させ、中心導体２と電気コンタクト７とを半田付けした状態で本体６と締め付け用キャップ２９とに挿入させ、締め付け用キャップ２９を回して雄ネジ２８と雌ネジ３０とを螺合させ締め付けることにより、同軸ケーブル１と本体６とを一体化するようになっている。そして、外部導体４が本体６に密着して電気的に接続されるようになっている。そして、突起１９は挿入係合を容易にするためにテーパ状になっている。
【００１６】
次に、本発明の第１の実施の態様における同軸ケーブル用コネクタの接続動作について説明する。
【００１７】
同軸ケーブル用コネクタの組み立て完成状態は下記の通りである。即ち、本体６と同軸ケーブル１と円筒体部２０とが一体に組み込まれ、中心導体２と電気コンタクト７とが接続され、外部導体４と円筒体部２０とが接続された状態にある。そして、円筒体部２０と連結部１５とが結合されており、その突起１９が長溝２３における一方の端の短い溝２４内に位置された状態にある。従って、連結部１５は円筒体部２０から飛び出した状態で固定されている。そのため、電気コンタクト７はその先端が電気コンタクト用ガイド部１７の貫通孔１８内に位置して位置決めされた状態にある。
【００１８】
このような同軸ケーブル用コネクタを接続するに当たり、まず、連結部１５と受け側コネクタ９とを結合するのであるが、図５で示すように、連結部１５を時計方向に回転させて雄ネジ１３と雌ネジ１６とを螺合させ、受け側コネクタ９をその中に収めるような矢印Ｂで示す方向に前進させる。ここで、連結部１５を回転させる際に、突起１９は短い溝２４の端に当接するので円筒体部２０も同時に時計方向に回転しながら矢印Ｂ方向に前進する。この円筒体部２０の回転は本体６と独立であるため、本体６は同方向に前進するだけである。連結部１５内に受け側コネクタ９が完全に納まった後は、円筒体部２０を時計方向に回転させて突起１７を短い溝２４から長溝２５の一端に移動させる。この状態では、円筒体部２０はその中心軸Ｘと同方向に移動可能になるので受け部コネクタ９方向、即ち、矢印Ｂ方向に直線的に前進させることができる。
【００１９】
上記の円筒体部２０の前進は、図６で示すように突起１９が長溝２３の他端に当接するまで行われる。この円筒体部２０の前進動作によって電気コンタクト７は貫通孔１８から突出する。貫通孔１８と受け用中心導体１２とは同軸線上にあるため電気コンタクト７の先端から穴１４に挿入される。そして、円筒体部２０を時計方向に回転させれば突起１９が短い溝２５の端に当接して停止する。この状態に至ると、円筒体部２０の前進後退動作が阻止されるので本体６の前進後退動作も阻止され、本体６と受け側コネクタ９とが一体化される。従って、電気コンタクト７は受け用中心導体１２と接続され、外部導体４は導体からなる本体、円筒体部２０、連結部１５を介して受け側コネクタ９の円筒１０に接続される。
【００２０】
上記接続状態から解除する場合は、今度は円筒体部２０を反時計方向に回転させて突起１９が長溝２３の他端に位置させる。そして、中心軸Ｘと同方向に引っ張ると、本体６と円筒体部２０は連結部１５を残して受け側コネクタ９から離れる。その結果、電気コンタクト７は受け用中心導体１２の穴１４から抜けると同時に、その先端が貫通孔１８内に収まるようになる。その後、連結部１５を反時計方向に回転させて円筒体部１０との螺合状態を解除すれば受け側コネクタ９との連結状態が解除される。
【００２１】
上述した本発明の第１の実施の態様によれば、電気コンタクト７は連結部１５が受け側コネクタ９に完全に結合された後、連結部１５を中心軸Ｘと平行に矢印Ｂ方向に前進させるまでは、連結部１５内に露出しない。そのため、例えば、規格を異にする外形が小さい受け側コネクタに誤って接続しようとして電気コンタクト７の先端に受け側コネクタの端部分を当ててしまい、電気コンタクト７を曲げてしまうことがない。また、電気コンタクト７の先端は、電気コンタクト用ガイド１７によって受け側コネクタ９の受け用中心導体１２と同軸線上、即ち中心軸Ｘ上に位置するようにガイドされる。そして、この先端は連結部１５が受け側コネクタ９に完全に連結されるまでガイドされるので確実に穴１４の入り口に位置される。そのため、受け側コネクタ９の穴１４への挿入が確実になされる。
【００２２】
図７は本発明の第２の実施の態様におけるガイド溝２６の形状を説明するための、その部分を拡大して概略的に示した説明図である。この第２の実施の形態は、ガイド溝２６における長溝２３と短い溝２４、２５との間に傾斜溝３１を設けたものである。突起１９は傾斜溝３１によって長溝２３と短い溝２４、２５との間での移動が滑らかになる。従って、ユーザによる操作が円滑になされる。
【００２３】
図８は本発明の第３の実施の態様における連結部１５を円筒体部２０に取り付ける構成を説明するために、その部分を拡大して概略的に示した説明図である。この例では、円筒体部２０に形成したガイド溝２６の他端側の短い溝２５の端に連なり、長溝２３と同一方向に円筒体部２０の端まで切り欠かれた溝３２を形成したものである。そして、連結部１５を円筒体部２０に取り付けるに際しては、溝３２から突起１９を挿入してガイド溝２６へと案内するものであって、第１の実施の態様における円筒体部２０に形成した割り溝２７を有しない構成としたものである。
【００２４】
尚、本発明に第１の実施の態様では、突起１９を連結部に設けガイド溝２６を円筒体部２０に設けたが、突起１９を円筒体部２０にガイド溝２６を連結部１５に設けるように構成してもよい。
【００２５】
尚、また、本発明の第１の実施の態様では、連結部１５に雌ネジ１６を形成して受け側コネクタ９と螺合させて連結するようにしたが、螺合させることなく単に連結部１５内に受け側コネクタ９を押し込むようにして連結してもよい。
【００２６】
【発明の効果】
上述したように、本発明の請求項１によれば、中心導体の外周に絶縁体を介して外部導体が組み込まれた同軸ケーブルを接続するための同軸ケーブル用コネクタにおいて、前記中心導体が中心軸上に突出して設けられた電気コンタクトに接続されると共に前記外部導体が接続された状態で前記同軸ケーブルの端に取り付けられた導電材からなる本体と、導電材からなる円筒と前記中心軸上に受け用中心導体の穴とが形成された受け側コネクタが一端側からその中に挿入されて連結される導電材からなる円筒状の連結部と、一端側からその中に前記連結部が挿入され他端側で前記本体に前記中心軸を中心として回転自在に取り付けられた導電材からなる円筒体部と、前記円筒体部に前記中心軸と平行に形成した長溝と当該長溝に連なってその両端に当該円筒体部の回転方向に沿って形成した短い溝とからなるガイド溝と、前記連結部の前記円筒体部寄りの外周に前記ガイド溝に係合するように設けられた突起と、前記円筒体部の一端側から前記中心軸と平行に切り欠かれて当該円筒部が前記連結部の挿入時に撓むように形成された割り溝と、前記連結部の他端側の前記円筒体部寄りに相当する端面に設けられその中で前記電気コンタクトを案内する貫通孔が形成された絶縁材からなる電気コンタクト用ガイドとで構成された同軸ケーブル用コネクタとしたため、下記の効果が得られる。
【００２７】
第１に、前記電気コンタクトは前記連結部が前記受け側コネクタに完全に結合された後、前記連結部を中心軸方向に前進させるまでは、前記連結部内に露出しない。そのため、例えば、外形が小さい受け側コネクタに誤って接続しようとして前記電気コンタクトの先端に前記受け側コネクタの端部分を当ててしまうようなことがない。従って、前記電気コンタクトを曲げてしまうような不用な外力を受けて発生する事故が皆無となる。
【００２８】
第２に、前記電気コンタクトの先端は、前記電気コンタクト用ガイドによって前記受け側コネクタの受け用中心導体と同軸線上に位置するようにガイドされる。そして、この先端は前記連結部が前記受け側コネクタに完全に連結されるまでガイドされるので確実に前記穴の入り口に位置される。そのため、前記電気コンタクトの穴への挿入が確実になされる。更に、前記電気コンタクト用ガイド部分の構成は，絶縁材からなる部材の中央に前記貫通孔を形成するだけの簡単なものでよい。
【００２９】
第３に、前記円筒体部と前記連結部との相対的な中心軸方向の移動による変位と移動停止による固定は、連結部に設けた前記突起と円筒部に設けた前記ガイド溝の簡単な構成で達成できる。
【００３０】
第４に、前記円筒体部内に前記連結部を挿入する際に、前記突起が前記ガイド溝に係合するまで前記円筒体部が前記割り溝によって大きく撓むため容易に挿入して一体化できる。
【００３１】
上述したように、本発明の請求項２によれば、中心導体の外周に絶縁体を介して外部導体が組み込まれた同軸ケーブルを接続するための同軸ケーブル用コネクタにおいて、前記中心導体が中心軸上に突出して設けられた電気コンタクトに接続されると共に前記外部導体が接続された状態で前記同軸ケーブルの端に取り付けられた導電材からなる本体と、導電材からなる円筒と前記中心軸上に受け用中心導体の穴とを有する受け側コネクタが一端側からその中に挿入されて連結される導電材からなる円筒状の連結部と、一端側からその中に前記連結部が挿入され他端側かで前記本体に前記中心軸を中心として回転自在に取り付けられた導電材からなる円筒体部と、前記円筒体部と前記連結部とが相対的に前記中心軸と平行に変位され変位された両端で固定されるガイド機構と、前記連結部の他端側の前記円筒体部寄りに相当する端面に設けられその中で前記電気コンタクトを案内する貫通孔が形成された絶縁材からなる電気コンタクト用ガイドとで構成された同軸ケーブル用コネクタとしたため、下記の効果が得られる。
【００３２】
第１に、前記電気コンタクトは前記連結部が前記受け側コネクタに完全に結合された後、前記連結部を中心軸方向に前進させるまでは、前記連結部内に露出しない。そのため、例えば、外形が小さい受け側コネクタに誤って接続しようとして前記電気コンタクトの先端に前記受け側コネクタの端部分を当ててしまうようなことがない。従って、前記電気コンタクトを曲げてしまうような不用な外力を受けて発生する事故が皆無となる。
【００３３】
第２に、前記電気コンタクトの先端は、前記電気コンタクト用ガイドによって前記受け側コネクタの受け用中心導体と同軸線上に位置するようにガイドされる。そして、この先端は前記連結部が前記受け側コネクタに完全に連結されるまでガイドされるので確実に前記穴の入り口に位置される。そのため、前記電気コンタクトの穴への挿入が確実になされる。更に、前記電気コンタクト用ガイド部分の構成は，絶縁材からなる部材の中央に前記貫通孔を形成するだけの簡単なものでよい。
【００３４】
上述したように、本発明の請求項３によれば、請求項２における前記ガイド機構は、前記円筒体部に前記中心軸と平行に形成した長溝と当該長溝と連なってその両端に当該円筒体部の回転方向に沿って形成された短い溝とからなるガイド溝と、前記連結部の前記円筒体部寄りの外周に前記ガイド溝に係合するように設けられた突起とからなる同軸ケーブル用コネクタとしたため、前記円筒体部と前記連結部との相対的な中心軸方向の移動による変位と移動停止による固定は、連結部に設けた前記突起と円筒部に設けた前記ガイド溝の簡単な構成で達成できる。
【図面の簡単な説明】
【図１】本発明の第１の実施の形態における同軸ケーブル用コネクタを分解して示した断面図である。
【図２】本発明の第１の実施の形態における同軸ケーブル用コネクタを分解して示した斜視図である。
【図３】図１において矢印Ａ方向から見た正面図である。
【図４】図１におけるガイド溝を平面的に拡大して概略的に示した説明図である。
【図５】本発明の第１の実施の態様における同軸ケーブル用コネクタの接続動作における途中の状態を示す側面図である。
【図６】本発明の第１の実施の形態におけ同軸ケーブル用コネクタの接続完了状態を示す側面図である。
【図７】本発明の第２の実施の形態におけるガイド溝を拡大して概略的に示した説明図である。
【図８】本発明の第３の実施の形態におけるガイド溝と連結部とを拡大し概略的に示した説明図である。
【符号の説明】
１          同軸ケーブル
２          中心導線
６          本体
７          電気コンタクト
８          絶縁リング
９          受け側コネクタ
１０        円筒
１２        受け用中心導体
１４        穴
１５        連結部
１７        電気コンタクト用ガイド部
１８        貫通孔
１９        突起
２０        円筒体部
２１        溝
２２        突起
２３        長溝
２４、２５  短い溝
２６        ガイド溝
２９        締め付け用キャップ
【図１】
2004234867.tif 000003
【図２】
2004234867.tif 000004
【図３】
2004234867.tif 000005
【図４】
2004234867.tif 000006
【図５】
2004234867.tif 000007
【図６】
2004234867.tif 000008
【図７】
2004234867.tif 000009
【図８】
2004234867.tif 000010